(57)【要約】      （修正有）【課題】カップ等の抽出容器に安定に且つ安全に懸架し、お湯等の抽出液を注加し品質の優れた抽出液を得ることができる、フック付の抽出用バッグを提供する。【解決手段】被抽出物を収納するための濾過性の収納部を有するバッグ本体２と、薄板状部材から形成され該バッグ本体２の表面部と背面部に固着された一対のフック３からなり、このフック３を抽出容器に懸架して用いる抽出用バッグ１において、前記バッグ本体２は、互いに対向する表面部と背面部とからなり、上端は開口部として構成され、下端は連続しており、左右側はシール部によって密封されたものであり、かつ、前記収納部が、逆台形状に構成されている。【選択図】図１
0003179035.tif 000002
【実用新案登録請求の範囲】
【請求項１】
被抽出物を収納するための濾過性の収納部を有するバッグ本体と、薄板状部材から形成され該バッグ本体の表面部と背面部に固着された一対のフックからなり、該フックを抽出容器に懸架して用いる抽出用バッグにおいて、前記バッグ本体は、互いに対向する表面部と背面部とからなり、上端は開口部として構成され、下端は連続しており、左右側はシール部によって密封されたものであり、かつ、前記収納部が、逆台形状に構成されていることを特徴とする抽出用バッグ。
【請求項２】
前記フックは、折り曲げ線に沿って引き起こし可能な把持部と懸架部と、これらを支持すると共にフックをバッグ本体に固着させるための支持部とからなり、前記把持部には複数の溝が形成されており、かつ、前記懸架部の抽出容器上縁との接触部分には、複数の切り込みが入っているものであることを特徴とする請求項１記載の抽出用バッグ。
【請求項３】
前記折り曲げ線が、把持部及び懸架部と、支持部との境界部分に形成された一本の連続又は断続した溝として構成されたものである請求項１又は２記載の抽出用バッグ。
【請求項４】
前記折り曲げ線を挟んで、把持部及び懸架部と反対側に形成された支持部が、該支持部の側端から半分以上の領域は、バッグ本体に固着されていないものであり、かつ、該側端がアール状に形成されていることを特徴とする請求項１〜３のいずれか１項記載の抽出用バッグ。
【請求項５】
前記側端の下端の角部が、切欠き状に形成されていることを特徴とする請求項４記載の抽出用バッグ。
【考案の詳細な説明】
【技術分野】
【０００１】
本考案は、コーヒー、お茶等の抽出用バッグに関するものであり、更に詳しくは、カップ等の容器に安定に懸架し、お湯等の抽出液を注加することのできるフック付の抽出用バッグに関するものである。
【背景技術】
【０００２】
従来、お茶に用いられる抽出バッグあるいはパックとしては、水透過性材料からなる袋本体中にお茶を収納してこれをお湯などに投入・浸漬して抽出操作を行うか、あるいは、袋本体に吊り糸を取り付け、この吊り糸を操作して袋本体をお湯などの中で浸漬・揺動させ、抽出を促進させるタイプのものが良く用いられている。一方、被抽出物がコーヒー粉末等の場合には、コーヒー等を収納した抽出用バッグの上端部を開口し、ここからお湯等を注加してコーヒー等を抽出・濾過することが良く行われている。
【０００３】
後者の場合には、フック付の抽出用バッグ、即ち、抽出に際し、バッグのフック部分で、バッグをカップ等の容器に安定に懸架しておくタイプのものも広く知られている（例えば、特許文献１と２参照）。そして、フック部分の形状、構造等についても様々な提案がなされているが（例えば、特許文献３〜１１参照）、いずれも構造が複雑で製作のコストアップにつながったり、製品が嵩高になったり、あるいは安定性や抽出性が不十分であったりと、必ずしも十分に満足すべきものは提案されていない。これらの欠点を改善したものとして本考案者が提案したものもある（特許文献１２）。
【０００４】
しかしながら、本考案者の知る限り、これまでに、コーヒー等の抽出用バッグの収納部の形状と抽出液の品質との関連に着目し、その解決手段を提案したものは存在しない。
【先行技術文献】
【特許文献】
【０００５】
【特許文献１】実開昭５５−１２３４８０号公報
【特許文献２】実開平７−２２３号公報
【特許文献３】特開平１０−１６５３０８号公報
【特許文献４】特開平１０−１７９４０１号公報
【特許文献５】特開平１０−１４７７１号公報
【特許文献６】特開平１１−２０６５７４号公報
【特許文献７】特開２００１−４６２３０号公報
【特許文献８】特開２００４−３５７９２９号公報
【特許文献９】特開２００４−３５８０００号公報
【特許文献１０】特開２００５−５８２６６号公報
【特許文献１１】特開２００５−９５３１９号公報
【特許文献１２】実用新案登録第３１１８００１号公報
【考案の概要】
【考案が解決しようとする課題】
【０００６】
本考案の課題は、カップ等の抽出容器に安定に且つ安全に懸架し、お湯等の抽出液を注加し品質の優れた、即ち、芳醇な味と香りの抽出液、あるいは、香りが高く味にこくがある抽出液を得ることのできる、フック付の抽出用バッグを提供することにある。
【課題を解決するための手段】
【０００７】
本考案のうち請求項１記載の考案は、被抽出物を収納するための濾過性の収納部を有するバッグ本体と、薄板状部材から形成され該バッグ本体の表面部と背面部に固着された一対のフックからなり、該フックを抽出容器に懸架して用いる抽出用バッグにおいて、前記バッグ本体は、互いに対向する表面部と背面部とからなり、上端は開口部として構成され、下端は連続しており、左右側はシール部によって密封されたものであり、かつ、前記収納部が、逆台形状に構成されていることを特徴とする抽出用バッグである。
【０００８】
請求項２記載の考案は、前記フックが、折り曲げ線に沿って引き起こし可能な把持部と懸架部と、これらを支持すると共にフックをバッグ本体に固着させるための支持部とからなり、前記把持部には複数の溝が形成されており、かつ、前記懸架部の抽出容器上縁との接触部分には、複数の切り込みが入っているものであることを特徴とする請求項１記載の抽出用バッグである。
【０００９】
請求項３記載の考案は、前記折り曲げ線が、把持部及び懸架部と、支持部との境界部分に形成された一本の連続又は断続した溝として構成されたものである請求項１又は２記載の抽出用バッグである。
【００１０】
請求項４記載の考案は、前記折り曲げ線を挟んで、把持部及び懸架部と反対側に形成された支持部が、該支持部の側端から半分以上の領域は、バッグ本体に固着されていないものであり、かつ、該側端がアール状に形成されていることを特徴とする請求項１〜３のいずれか１項記載の抽出用バッグである。
【００１１】
請求項５記載の考案は、前記側端の下端の角部が、切欠き状に形成されていることを特徴とする請求項４記載の抽出用バッグである。
【考案の効果】
【００１２】
本考案の抽出用バッグを用いれば、被抽出物を収納したバッグを、カップ等の抽出容器に安定に且つ安全に懸架し、お湯等の抽出液を注加し、香味成分を十分に抽出することができる。その結果、芳醇な味と香りの抽出液、あるいは、香りが高く味にこくがある抽出液が得られる。
【図面の簡単な説明】
【００１３】
【図１】本考案の抽出用バックの一例を示す図である。
【図２】本考案の抽出用バックの使用態様の一例を示す図である。
【考案を実施するための形態】
【００１４】
本考案の抽出用バッグは、被抽出物を収納するための濾過性の収納部を有するバッグ本体と、薄板状部材から形成され該バッグ本体の表面部と背面部に固着された一対のフックからなるものであり、このフックはバッグを抽出容器に懸架するためのものである。このフックは、折り曲げ線に沿って引き起こし可能な把持部と懸架部と、これらを支持すると共にフックをバッグ本体に固着させるための支持部とからなっている。そして、本考案において最も特徴とするところは、前記収納部の形状にある。即ち、前記抽出バッグは、互いに対向する表面部と背面部とからなり、上端は開口部として構成され、下端は連続しており、左右側はシール部によって密封されて収納部を形成しており、該収納部が、逆台形状に構成されていることにある。
【００１５】
以下、図を用いて本考案を説明する。図１は、本考案の一実施態様の、抽出用バッグ１の表面図を示す。バッグ本体２は、互いに対向する表面部と背面部からなり、表背両面に一対のフック３が固着されている。通常、バッグ本体２は、上端は開口部で、その他の周縁部は密封又は連続して、被抽出物を収納するための収納部１０を形成している。図１において、バッグ本体の左右側は、例えば、接着性樹脂を用いた熱融着や超音波融着によって密封されている（図１の斜線で示した部分）。バッグの上側は開口部で、例えば、ドリップバッグの場合は、そこから被抽出物を収納した後で一旦封止される。そして、例えば、ミシン目４等を入れておき、使用に際して、ミシン目４を引き裂き再度開口させる。フック３は、把持部５と懸架部６を有しており、支持部７によってバッグ表背面に、例えば、接着性樹脂を用いた熱融着や超音波融着によって貼着・固定されている。使用に際しては、把持部５を手に持って懸架部６と共に、折り曲げ線８に沿って引き起こし、表背面の懸架部６（一対）を、カップ等の抽出容器の上縁にしっかりと懸架する。
【００１６】
本考案の特徴の一つとするところは、図１に斜線で示したように、被抽出物を収納するための濾過性の収納部１０が、逆台形状に形成されていることにある。逆台形の形状は特に限定されるものではないが、収納部１０を形成する左右のシール部が、上端の幅の方が下端の幅よりも広い逆台形又は逆台形様の形になるようにすればよい。このように収納部を形成することによって、ストレートにシールされ収納部が矩形に形成されている従来のものよりも、被抽出物の抽出が十分な時間をかけて行われる。その結果、コーヒー等の抽出液の香りや味が芳醇なものとなり、あるいは、非常にこくのあるコーヒー等が得られる。
【００１７】
フックは、折り曲げ線８に沿って引き起こし可能な把持部５と懸架部６と、これらを支持すると共にフックをバッグ本体に固着させるための支持部７とからなるものである。折り曲げ線は公知の方法・手段を採用すればよいが、把持部及び懸架部と、支持部との境界部分に形成された一本の連続又は断続した溝として構成されたものが好ましい。
【００１８】
図１において、フックの把持部５には、２つの溝５ａ、５ｂが形成されている。溝は必ずしも形成されていなくてもよく、また、溝の数、幅、長さ等は特に制限はないが、２〜３個形成されているのが好ましい。把持部に溝が形成されていないと、これを手ではさんだときに滑る場合があるが、溝が形成されていると、はさんだ指同士が触れ合うことによって、滑りが防止されるという効果がある。
【００１９】
図１のフックの懸架部６は、公知の態様であり、薄板部材が凹部に切り取られている部分である。凹部の形状は、カップ等の抽出容器の上縁に懸架できる程度のものであれば良い。
図１の懸架部６の凹部の奥の部分、即ち、抽出容器上縁との接触部分には、切り込み６ａが入れられている。切り込みの場所、深さ、数については特に制限はないが、図１に示したように、横方向及び／又は縦方向に複数ケ所設けるのが好ましい。この切り込みは、懸架部６をカップ等の抽出容器の上縁に懸架したとき、容器の口の形状の如何にかかわらず、ストッパーとしての役目を十分に果たし、抽出容器の上縁に凹部がしっかりと固定される。また、図１に例示したように、凹部の奥の部分は、少し膨らみを持たせた形状にしておくと、厚手のカップにも安定して懸架できるので好ましい。
【００２０】
図１の７はフックの支持部であって、図１では、逆コの字形をしており、図の破線部分でバッグ本体に、例えば、接着性樹脂を用いて熱融着や超音波融着によって貼着・固定されている。逆コの字形の中には、把持部５及び懸架部６が、折り曲げ線８に沿って引き起こし可能な状態で形成されている。折り曲げ線８は、支持部７との境界部分に形成されており、把持部５及び懸架部６を、図面の手前方向に引き起こし折り曲げるための起点になる線であり、折り曲げ易いように一本の連続又は断続した溝となっている。
【００２１】
図１において、支持部７は、逆コの字形に形成されており、把持部５及び懸架部６の上側の部分７ｂと下側の部分７ｃと、折り曲げ線８をはさんで反対側に形成された７ａからなっている。本考案においては、折り曲げ線８を挟んで、把持部５及び懸架部６と反対側に形成された支持部７ａが、この支持部の側端（図面の左端）から半分以上の領域は、バッグ本体に固着されていないものであるのが好ましい。そうであると、バッグをカップ等の抽出容器に懸架したとき、支持部７ａ（表背面で一対）がバッグ本体から突出した状態になって、カップ等の抽出容器の内壁面との間に十分な隙間が形成される。従って、バッグはほぼ四角柱の形状を維持したまま、カップ等の壁面から離れて存在するので、抽出液を注加したときに抽出効率が良くなるという特徴が発揮される。図１の支持部のうち、７ｂと７ｃの部分はなくても良い。
【００２２】
前記バッグ本体に固着されていない支持部７ａの側端は、アール状に形成されていても良い。あるいはまた、図１に例示したように、下端の角部を切欠き状にしておいても良い。このように形成することで、カップ等の抽出容器に入れた場合に、カップの形状にかかわらず、収納部を垂直に懸架できるので好ましい。
【００２３】
本発明のフック付抽出用バッグにおいて、フックは、バッグ本体の中心よりも上部側に偏って配置されているのが好ましい（図１参照）。かかる形態のものの方が、カップ等に懸架した場合に安定するからである。
【００２４】
図２は、本考案のフック付抽出用バッグを、カップに懸架して抽出を行う場合の状態を示す図である。バッグ本体の上部が封止されている場合には、予め、ミシン目を引き裂く等の方法で開口しておく。そして、バッグのフックの把持部（一対）５を持って、懸架部（一対）６の凹部をカップ等の抽出容器の上縁に懸架させる。この際、懸架部６の抽出容器上縁との接触部分に形成された切り込み６ａはストッパーとしての役割により、フックを安定に固定させるのに役立つ。また、支持部７ａは、バッグ本体から突出した状態になって、カップ等の抽出容器の内壁面との間に十分な隙間を形成している。
【００２５】
図２において、バッグ本体に既に被抽出物が収納されている場合には、上部開口部からお湯等の抽出液を注加すれば、所望の抽出を行うことができる。予め被抽出物が収納されていない場合には。開口部から所望量の被抽出物をバッグ本体に入れ、これにお湯等の抽出液を注加して抽出を行うことができる。いずれの場合も、本考案のバックは安定にカップ等に懸架され、開口部も一定の形状に安定に維持されているので、安全に且つ効率良く抽出が行われる。
【００２６】
本考案のバッグ本体を形成する濾過性の材料としては、例えば、パルプ製の未晒し・晒し紙、コットン紙、天然又は合成繊維の織編物や不織布、ナイロンやポリエステル紗等が挙げられる。また、熱又は超音波シール性の、合成繊維不織布又は紙と合成繊維の混合不織布、又はこれらの組合せも用いられる。被抽出物とは水、お湯、アルコール等の抽出液で内容成分が抽出されるものであり、特に限定はないが、例えば、ウーロン茶、煎茶等の緑茶、焙じ茶、紅茶、麦茶、玄米茶等の穀物茶、コーヒー粉末、コーヒー挽粒、各種薬草茶、漢方薬等があげられる。抽出容器も、特に限定されるものではない。フックを形成する薄板状部材も特に限定されるものではないが、薄い耐水性の紙シートやプラスチック性のシートを用いることができる。
【００２７】
本考案の抽出用バッグは、バッグ本体の上部は開口部となっているが、被抽出物を収納した後は、開口部は熱や超音波等の手段により接着・密封され、いわゆるドリッブパックの形態にすることができる。そして、バッグの上部には予めミシン目等を入れておき、使用に際しては、ミシン目の部分を引き裂いて抽出液の注加口として使用する。バックの形態については特に制限はなく、バッグ本体の側面部や底部にはマチが形成され、未使用時には内側に折り込まれているものでも良い。
【００２８】
本考案のバッグ本体に収納する被抽出物の量は、被抽出物の種類、抽出容器の大きさ、目的や好みによって異なるが、適宜任意に決めることができる。
【符号の説明】
【００２９】
１  抽出用バッグ
２  バッグ本体
３  フック
４  ミシン目
５  把持部
５ａ、５ｂ  溝
６  懸架部
６ａ  切り込み
７  支持部
８  折り曲げ線
９  カップ
１０  収納部
【図１】
0003179035.tif 000003
【図２】
0003179035.tif 000004